(57)【要約】【課題】複数の周波数の振動を低減可能であると共に、取り付けの施工性に優れたダイナミックダンパーを提供する。【解決手段】ダイナミックダンパー１は、質量部４１Ａ，４２Ａ及び弾性部４１Ｂ，４２Ｂをそれぞれ有し、互いに繋がった状態で天井ボード５に載置される載置面１１Ａを有する第１及び第２ダンパー機構４１，４２を備えている。第１及び第２ダンパー機構４１，４２は、共振周波数が互いに異なるように構成されている。ダイナミックダンパー１は、方向Ｄ２の一方側に位置する第２ダンパー機構４２の端部から他方側に位置する第２ダンパー機構４２の端部までの距離Ｗ１が両野縁２の内面２Ａ間の距離Ｗ２よりも長くなるように構成されている。ダイナミックダンパー１は、第２ダンパー機構４２の端部の下面と載置面１１Ａとの間の高さ寸法Ｈ１が野縁２の高さ寸法Ｈ２よりも大きくなるように構成されている。【選択図】図３
2018028177.tif 000002
【特許請求の範囲】
【請求項１】
互いに間隔を空けて配列された２本の野縁と、両野縁の下面に固定される天井ボードと、を備えた天井に設置されるダイナミックダンパーであって、
質量部及びこれに接続された弾性部をそれぞれ有し、前記野縁の配列方向において互いに繋がる複数のダンパー機構であって、互いに繋がった状態で前記天井ボードに載置される載置面を有する複数のダンパー機構を備え、
前記複数のダンパー機構は、
共振周波数が互いに異なる少なくとも２種類のダンパー機構を含み、
前記配列方向の一方側に位置するダンパー機構の端部から前記配列方向の他方側に位置するダンパー機構の端部までの距離が両野縁の内面間の距離よりも長くなるように構成され、
前記ダンパー機構の端部の下面と前記載置面との間の高さ寸法が前記野縁の高さ寸法よりも大きいことを特徴とする、ダイナミックダンパー。
【請求項２】
前記ダイナミックダンパーは、前記載置面を含む弾性体と、前記弾性体上に固定された質量体と、が互いに接続された構造を有し、
前記質量体は、第１質量部位と、前記第１質量部位と前記配列方向に並ぶと共に前記第１質量部位と異なる質量を有する第２質量部位と、を有し、
前記弾性体は、前記第１質量部位を支持する第１弾性部位と、前記第２質量部位を支持する第２弾性部位と、を有し、
前記複数のダンパー機構は、
前記第１質量部位により構成された前記質量部と、前記第１弾性部位により構成された前記弾性部と、を有する第１ダンパー機構と、
前記第２質量部位により構成された前記質量部と、前記第２弾性部位により構成された前記弾性部と、を有する第２ダンパー機構と、を含むことを特徴とする、請求項１に記載のダイナミックダンパー。
【請求項３】
前記質量体は、
前記弾性体上に固定された錘板と、
前記錘板上に固定され、前記錘板よりも重量が大きい錘体と、を有し、
前記第１質量部位は、前記錘板と前記錘体とにより構成され、
前記第２質量部位は、前記錘板により構成されていることを特徴とする、請求項２に記載のダイナミックダンパー。
【請求項４】
前記錘板が折れ曲がった部分を有することを特徴とする、請求項３に記載のダイナミックダンパー。
【請求項５】
前記第２ダンパー機構は、
前記第１ダンパー機構を挟んで前記配列方向の一方側及び他方側にそれぞれ配置され、
両野縁の内面よりも前記配列方向の外側に延びる前記質量部を有することを特徴とする、請求項２〜４の何れか１項に記載のダイナミックダンパー。
【請求項６】
前記一方側に位置するダンパー機構の端部が一方の前記野縁の内面から所定の長さだけ前記配列方向の外側に突出するように配置されたときに、前記他方側に位置するダンパー機構は、他方の前記野縁の内面に対して前記突出長さよりも小さい隙間を空けるように又は前記隙間を空けないように前記配列方向の内側に配置される面を含むことを特徴とする、請求項１〜５の何れか１項に記載のダイナミックダンパー。
【請求項７】
所定の配列方向に互いに間隔を空けて配列された２本の野縁と、
前記野縁の下面に固定される天井ボードと、
前記天井ボードの上面に設置される請求項１〜６の何れか１項に記載のダイナミックダンパーと、を備えた、天井。
【発明の詳細な説明】
【技術分野】
【０００１】
本発明は、ダイナミックダンパー及びこれを備えた天井に関する。
【背景技術】
【０００２】
従来、住宅やマンションなどの建物において、上層階から下層階へ伝わる床衝撃音を低減することが要求されており、この課題に対して様々な対策が検討されている。代表的なものとしては、例えば、建物に使用される床材や天井材の重量を重くする対策や、床材や天井材に防振機能を持たせる対策などが考案されている。
【０００３】
このような床衝撃音の低減対策の１つとして、下記特許文献１に開示されるように、質量体と弾性体とにより構成されるダイナミックダンパーを天井に設置することが提案されている。このダイナミックダンパーを設置することで、上層階から伝わった床衝撃音によって下層階の天井が振動した時に、弾性体を介して質量体を共振させることができ、この共振による反力によって天井の振動を抑えることができる。下記特許文献１には、図２に示される通り、弾性体であるコイルばね２と、コイルばね２の上端部に接続された板部材２ｅと、板部材２ｅの下面に固定された質量体である錘３と、コイルばね２の下端部に接続された設置部２ｄと、を備えたダイナミックダンパーの構造が開示されている。
【先行技術文献】
【特許文献】
【０００４】
【特許文献１】特許第４０４３７６０号公報
【発明の概要】
【発明が解決しようとする課題】
【０００５】
上記特許文献１では、錘３の重量やコイルばね２の弾性係数を調整することにより、ダンパーに特定の共振周波数を持たせることができる。しかし、このダンパー構造では１種類の共振周波数しか持たせることができず、例えば重量床衝撃音と軽量床衝撃音の両方が発生した場合などにおいて、複数の周波数の振動を低減することが困難である。またこのダンパー構造では、ボルトにより設置部２ｄを天井に固定して取り付ける必要があるため、取り付けの施工に掛かる手間が多いという問題もある。
【０００６】
本発明は、上記課題に鑑みてなされたものであり、その目的は、複数の周波数の振動を低減可能であると共に、取り付けの施工性に優れたダイナミックダンパー及びこれを備えた天井を提供することである。
【課題を解決するための手段】
【０００７】
本発明の一局面に係るダイナミックダンパーは、互いに間隔を空けて配列された２本の野縁と、両野縁の下面に固定される天井ボードと、を備えた天井に設置されるダイナミックダンパーである。上記ダイナミックダンパーは、質量部及びこれに接続された弾性部をそれぞれ有し、前記野縁の配列方向において互いに繋がる複数のダンパー機構であって、互いに繋がった状態で前記天井ボードに載置される載置面を有する複数のダンパー機構を備えている。前記複数のダンパー機構は、共振周波数が互いに異なる少なくとも２種類のダンパー機構を含んでいる。前記複数のダンパー機構は、前記配列方向の一方側に位置するダンパー機構の端部から前記配列方向の他方側に位置するダンパー機構の端部までの距離が両野縁の内面間の距離よりも長くなるように構成されている。上記ダイナミックダンパーは、前記ダンパー機構の端部の下面と前記載置面との間の高さ寸法が前記野縁の高さ寸法よりも大きくなるように構成されている。
【０００８】
上記ダイナミックダンパーは、共振周波数が互いに異なる少なくとも２種類のダンパー機構を備えている。このため、従来のように特定の共振周波数にのみ調整されたダンパーとは異なり、複数の周波数の振動が天井で生じた場合でも、各ダンパー機構の共振周波数をこれに合わせて調整することにより、各振動を低減することができる。
【０００９】
また上記ダイナミックダンパーでは、配列方向における一方側のダンパー機構の端部から他方側のダンパー機構の端部までの距離が両野縁の内面間の距離よりも長くなっている。このため、両側のダンパー機構の端部を野縁の上面に掛けることにより、ダンパーを仮設置することができる。しかも、ダンパー機構の端部の下面と載置面との間の高さ寸法が野縁の高さ寸法よりも大きいため、ダンパーが仮設置された状態において載置面を野縁の下面よりも下側に位置させることができる。このため、天井ボードをダンパーの載置面に接触させ、ダンパーを載せたまま天井ボードを持ち上げて野縁の下面に固定することにより、ダンパーを簡単に設置することができる。
【００１０】
上記ダイナミックダンパーは、前記載置面を含む弾性体と、前記弾性体上に固定された質量体と、が互いに接続された構造を有していてもよい。前記質量体は、第１質量部位と、前記第１質量部位と前記配列方向に並ぶと共に前記第１質量部位と異なる質量を有する第２質量部位と、を有していてもよい。前記弾性体は、前記第１質量部位を支持する第１弾性部位と、前記第２質量部位を支持する第２弾性部位と、を有していてもよい。前記複数のダンパー機構は、前記第１質量部位により構成された前記質量部と、前記第１弾性部位により構成された前記弾性部と、を有する第１ダンパー機構と、前記第２質量部位により構成された前記質量部と、前記第２弾性部位により構成された前記弾性部と、を有する第２ダンパー機構と、を含んでいてもよい。
【００１１】
この構成によれば、質量部の重量を変えることによって共振周波数が互いに異なる複数のダンパー機構を容易に構成することができる。
【００１２】
上記ダイナミックダンパーにおいて、前記質量体は、前記弾性体上に固定された錘板と、前記錘板上に固定され、前記錘板よりも重量が大きい錘体と、を有していてもよい。前記第１質量部位は、前記錘板と前記錘体とにより構成されていてもよい。前記第２質量部位は、前記錘板により構成されていてもよい。
【００１３】
この構成によれば、錘板及び当該錘板よりも重量が大きい錘体を用いることで、各ダンパー機構における質量部の重量を容易に変えることができる。しかも、錘板の上に錘体が固定された構成にすることで、弾性体が破壊された時でも錘板によって錘体を支持することが可能となり、錘体が落下するのを防ぐことができる。
【００１４】
上記ダイナミックダンパーにおいて、前記錘板が折れ曲がった部分を有していてもよい。
【００１５】
この構成によれば、錘板の剛性をより高めることが可能となり、錘板によって錘体をより確実に支持することができる。
【００１６】
上記ダイナミックダンパーにおいて、前記第２ダンパー機構は、前記第１ダンパー機構を挟んで前記配列方向の一方側及び他方側にそれぞれ配置されていてもよい。前記第２ダンパー機構は、両野縁の内面よりも前記配列方向の外側に延びる前記質量部を有していてもよい。
【００１７】
この構成によれば、第１ダンパー機構側を支点として第２ダンパー機構を片持ち状態で共振させることができる。これにより、天井ボードで生じる振動エネルギーを効率的に吸収することができる。
【００１８】
上記ダイナミックダンパーは、前記一方側に位置するダンパー機構の端部が一方の前記野縁の内面から所定の長さだけ前記配列方向の外側に突出するように配置されたときに、前記他方側に位置するダンパー機構は、他方の前記野縁の内面に対して前記突出長さよりも小さい隙間を空けるように又は前記隙間を空けないように前記配列方向の内側に配置される面を含んでいてもよい。
【００１９】
この構成によれば、ダンパーの位置が他方の野縁側へずれた時でも、他方側のダンパー機構の面が野縁の内面と衝突する。このため、一方側のダンパー機構の端部が野縁の内面に対して突出した状態が維持されるため、ダンパーの落下を防止することができる。
【００２０】
本発明の他局面に係る天井は、所定の配列方向に互いに間隔を空けて配列された２本の野縁と、前記野縁の下面に固定される天井ボードと、前記天井ボードの上面に設置される上記本発明に係るダイナミックダンパーと、を備えている。
【００２１】
上記天井は、上記本発明に係るダイナミックダンパーが天井ボードの上面に設置されているため、複数の周波数の振動が天井ボードで生じた場合でも、共振周波数が互いに異なる複数のダンパー機構を用いることで、各振動を低減することができる。また上述のように、ダンパーを天井ボードに載せたまま当該天井ボードを持ち上げて野縁の下面に固定するだけで、ダンパーを簡単に設置することができる。
【発明の効果】
【００２２】
以上の説明から明らかなように、本発明によれば、複数の周波数の振動を低減可能であると共に、取り付けの施工性に優れたダイナミックダンパー及びこれを備えた天井を提供することができる。
【図面の簡単な説明】
【００２３】
【図１】本発明の実施形態１に係る天井の構成を示す模式図である。
【図２】本発明の実施形態１に係るダイナミックダンパーの平面図である。
【図３】上記ダイナミックダンパーの取り付け完了後の様子を示す断面図である。
【図４】上記ダイナミックダンパーを斜め方向から見た模式図である。
【図５】上記ダイナミックダンパーの仮設置状態を示す断面図である。
【図６】本発明のその他実施形態に係るダイナミックダンパーの構成を示す模式図である。
【発明を実施するための形態】
【００２４】
以下、図面に基づいて、本発明の実施形態につき詳細に説明する。
【００２５】
（実施形態１）
［天井］
まず、本発明の実施形態１に係る天井１０の構造について、図１〜図３を主に参照して説明する。天井１０は、複数本（図１では３本）の床梁４と、複数本（図１では８本）の野縁２と、複数本（図１では３本）の野縁受３と、天井ボード５と、複数のダイナミックダンパー１と、を備える。
【００２６】
床梁４は、上層階の床材を支えるためのものであり、図１に示すように一方向に延びる鋼の構造材である。床梁４は、平板形状に形成された上下一対のフランジ４Ａ，４Ｂと、これらを接続する平板状のウェブ４Ｃと、を有する。フランジ４Ａ，４Ｂは、互いに間隔を空けて平行に配置されている。ウェブ４Ｃは、フランジ４Ａ，４Ｂに対して直交し、上端部がフランジ４Ａの下面に接続されると共に、下端部がフランジ４Ｂの上面に接続されている。図１に示すように、床梁４は、所定の方向において互いに間隔を空けて平行に配列されている。この床梁４の配列方向を「方向Ｄ１」と称する。
【００２７】
野縁２は、中空部が設けられた四角柱状の細長い構造材である。図１に示すように、野縁２は、床梁４の配列方向Ｄ１と直交する方向において互いに間隔を空けて平行に配列されている。この野縁２の配列方向を「方向Ｄ２」と称する。また図３に示すように、隣り合う２本の野縁２は、方向Ｄ２において互いに対向する内面２Ａをそれぞれ有する。
【００２８】
図１に示すように、野縁受３は、一方に開口するコ（Ｃ）の字状に形成された細長い構造材であり、野縁２の上面に配置されている。野縁受３は、野縁２に対して直交するように当該野縁２に対して格子状に組み付けられている。野縁受３は、平板形状に形成された上下一対のフランジ３Ａ，３Ｂと、これらの一端部同士を接続する平板状のウェブ３Ｃと、を有する。フランジ３Ａ，３Ｂは互いに間隔を空けて平行に配置されており、ウェブ３Ｃはフランジ３Ａ，３Ｂに対して直交する。また図１に示すように、野縁受３は、開口部を床梁４側に向けた状態で床梁４に対して平行に配置されている。床梁４における下側のフランジ４Ｂには取付具４Ｄが設けられており、野縁受３はフランジ３Ａを貫通するボルト４Ｅにより取付具４Ｄに固定されている。
【００２９】
天井ボード５は、例えば石膏ボードにより構成されており、図３に示すように隣り合う両野縁２の下面に固定されている。天井ボード５は、隣接する両野縁２の間隔Ｗ２よりも幅が大きく、野縁２の内面２Ａよりも外側に突出した部分において野縁２の下面に固定されている。また天井ボード５は、ダイナミックダンパー１が載置される上面５Ａを有する。
【００３０】
ダイナミックダンパー１は、上層階の床から下層階の天井１０へ伝わる床衝撃音を低減するためのものであり、図１に示すように隣り合う２本の野縁２に跨るように複数配置されている。図１に示すように、ダイナミックダンパー１は、方向Ｄ２において一列に並べられると共に、方向Ｄ１において互いに間隔を空けて配列されている。また図３に示すように、ダイナミックダンパー１は、両野縁２の間において天井ボード５の上面５Ａに設置される。
【００３１】
［ダイナミックダンパー］
次に、ダイナミックダンパー１の詳細な構造について、図３及び図４を主に参照して説明する。図３は、図１中の線分ＩＩＩ−ＩＩＩに沿った天井１０の断面図である。図４は、天井１０から取り外されたダイナミックダンパー１の斜視図である。
【００３２】
図３及び図４に示すように、ダイナミックダンパー１は、天井ボード５の上面５Ａに載置される載置面１１Ａを含む弾性体１１と、弾性体１１上に固定された質量体２１，３１と、が互いに接続された構造を有している。質量体２１，３１は、弾性体１１の上面１１Ｂ（載置面１１Ａと反対側の面）に固定された薄板状の錘板２１と、錘板２１の上面（弾性体１１と反対側の面）に固定されたブロック状の錘体３１と、を有する。図３に示すように、錘体３１は錘板２１の上面により支持された状態となっている。
【００３３】
弾性体１１は、例えばウレタンフォームなどの弾性部材により構成されている。図３及び図４に示すように、弾性体１１は、方向Ｄ２に延びる直方体形状に形成されており、その下面が天井ボード５の上面５Ａに載置される載置面１１Ａとして利用されている。また弾性体１１の方向Ｄ２における長さは、隣り合う野縁２の内面２Ａ同士の間隔Ｗ２と略同じになっている。なお、弾性体１１はゴムなどの他の弾性部材により構成されていてもよいが、吸音性の観点からウレタンフォームを材質として用いることが好ましい。
【００３４】
図３に示すように、弾性体１１は、錘体３１の真下に位置する第１弾性部位１２と、その両側に位置する第２弾性部位１３と、を有し、これらが一体に形成されたものとなっている。第１弾性部位１２は、錘体３１と略同じ長さを有する。また弾性体１１は、その全体に亘って一様な弾性係数（ばね定数）を示す。このため、第１弾性部位１２及び第２弾性部位１３における弾性係数は各々同じになっている。
【００３５】
錘板２１は、例えば鋼板などの薄い板材からなり、その両端を折り曲げることにより構成されている。図３及び図４に示すように、錘板２１は、弾性体１１の上面１１Ｂに固定される平面視長方形状の錘主部２６と、錘主部２６における長手方向の両端から略垂直に立ち上がった一対の錘壁２３と、錘壁２３の上端部（錘主部２６が繋がる下端部と反対側の端部）から長手方向外側に延びるように設けられた一対の錘フランジ２４と、を有する。また錘主部２６は、錘体３１が固定される錘中央部２２と、その両側に位置する錘側部２５と、を有する。図３に示すように、錘中央部２２は、錘体３１及び第１弾性部位１２に対して上下に重なる位置に配置されると共に、錘体３１及び第１弾性部位１２と同じ長さを有している。
【００３６】
図４に示すように、錘主部２６は、弾性体１１と略同じ幅で且つ弾性体１１よりも僅かに短い長方形の板材であり、任意の固定手段によって弾性体１１の上面１１Ｂに固定されている。このため、図４に示すように錘主部２６が弾性体１１に固定された状態において、弾性体１１における長手方向両側の上面１１Ｂが一部露出している。
【００３７】
錘壁２３は、錘主部２６と同じ厚さ及び幅を有する平坦な板材からなり、錘主部２６の長手方向の両端部から上方に延びている。図３に示すように、錘主部２６は両野縁２の間隔Ｗ２よりも短く形成されているため、錘壁２３と野縁２の内面２Ａとの間には隙間が形成される。また錘フランジ２４は、錘主部２６及び錘壁２３と同じ厚さ及び幅を有する平坦な板材からなり、錘壁２３の上端部から外側に広がっている。またダンパーの設置完了状態（図３）において、錘フランジ２４の下面と野縁２の上面２Ｂとの間には隙間が形成される。
【００３８】
錘主部２６、錘壁２３及び錘フランジ２４は、一体に形成されている。即ち、錘板２１は、図４に示すように、長方形状の一枚の鋼板を部位２１Ｂ（錘主部２６と錘壁２３とが繋がる部位）において垂直に立ち上がるように折り曲げると共に、部位２１Ｃ（錘壁２３と錘フランジ２４とが繋がる部位）において水平に折り曲げた構造となっている。なお本実施形態のように、錘板２１は一枚の鋼板を折り曲げたものに限定されず、錘主部２６、錘壁２３及び錘フランジ２４が別体として互いに接続された構造であってもよい。
【００３９】
錘体３１は、錘板２１よりも重量が大きい鉄製のブロック体であり、図３及び図４に示すように錘板２１の上面において長手方向中央に配置されている。錘体３１は、弾性体１１及び錘板２１と略同じ幅の直方体形状の部材であり、錘板２１よりも厚くなっている。また図３に示すように、錘体３１は、第１弾性部位１２及び錘中央部２２に対して上下に重なるように配置されると共に、第１弾性部位１２及び錘中央部２２と同じ長さを有している。
【００４０】
上述のように、本実施形態における質量体２１，３１は、錘板２１と、錘板２１の上面に固定された錘体３１と、により構成されており、単位面積当たりの重量が互いに異なる第１質量部位４１Ａと第２質量部位４２Ａとに分けられる。この第１質量部位４１Ａは、錘板２１における錘中央部２２（錘体３１の真下に位置する部位）と、錘体３１と、により構成される部位である。また第２質量部位４２Ａは、錘板２１における錘側部２５と、錘壁２３と、錘フランジ２４と、により構成される部位である。第１質量部位４１Ａと第２質量部位４２Ａとは方向Ｄ２において並んでおり、第１質量部位４１Ａは第２質量部位４２Ａよりも単位面積当たりの重量が大きくなっている。また図３に示すように、第１弾性部位１２は第１質量部位４１Ａを支持するように機能し、第２弾性部位１３は第２質量部位４２Ａを支持するように機能する。
【００４１】
ダイナミックダンパー１は、以下のようにして上層階の床から下層階の天井１０へ伝わる床衝撃音を低減させるように作用する。即ち、上層階の床から伝わる衝撃音により天井ボード５が振動し、一方で質量体２１，３１はその位置を保持する。これにより、弾性体１１が弾性変形し、質量体２１，３１が相対的に振動する。そして、この質量体２１，３１の振動による反力が弾性体１１を介して天井ボード５に伝えられ、天井ボード５の振動が抑えられる。
【００４２】
ここで、天井１０に伝わる衝撃音が複数の異なる周波数を有する場合、例えば重量床衝撃音及び軽量床衝撃音の両方が天井１０に伝わる場合には、ダンパーを特定の共振周波数のみ持たせるように構成すると、一方の床衝撃音を低減することはできるが、重量床衝撃音及び軽量床衝撃音の両方を低減することができない。これに対して、本実施形態に係るダイナミックダンパー１は、以下説明するように、共振周波数が異なる複数のダンパー機構４０を備えることにより、複数の振動周波数の各々に対して共振させることができ、それによって重量床衝撃音及び軽量床衝撃音の両方を低減可能な構造となっている。
【００４３】
図３に示すように、ダイナミックダンパー１は、方向Ｄ２において互いに繋がる複数（本実施形態では３つ）のダンパー機構４０（図中破線で囲まれた部分）を備える。これらのダンパー機構４０は、ダイナミックダンパー１において制振機能を持つ一部分に相当するものであり、互いに繋がった状態で天井ボード５の上面５Ａに載置される載置面１１Ａを有している。複数のダンパー機構４０は、第１ダンパー機構４１と、第１ダンパー機構４１の両側に配置された２つの第２ダンパー機構４２と、を有する。即ち、第２ダンパー機構４２は、第１ダンパー機構４１を挟んで方向Ｄ２の一方側及び他方側にそれぞれ配置されている。
【００４４】
第１ダンパー機構４１は、主に重量床衝撃音を低減するように作用する部分である。図３に示すように、第１ダンパー機構４１は、第１質量部４１Ａ及びこれに接続された第１弾性部４１Ｂを有する。第１質量部４１Ａは、錘板２１の錘中央部２２及び錘体３１（第１質量部位）により構成されている。また第１弾性部４１Ｂは、弾性体１１の第１弾性部位１２により構成されている。
【００４５】
第１ダンパー機構４１は、重量床衝撃音に起因する天井ボード５の振動により第１弾性部４１Ｂを介して第１質量部４１Ａを上下に振動させる（第１共振周波数）。そして、第１質量部４１Ａの振動による反力を天井ボード５に伝えることにより、重量床衝撃音を低減させるように作用する。この第１共振周波数は、例えば４４．５Ｈｚ〜８９．１Ｈｚである。
【００４６】
一方、第２ダンパー機構４２は、主に軽量床衝撃音を低減するように作用する部分である。図３に示すように、第２ダンパー機構４２は、第２質量部４２Ａ及びこれに接続された第２弾性部４２Ｂを有する。第２質量部４２Ａは、錘板２１における錘側部２５、錘壁２３及び錘フランジ２４（第２質量部位）により構成されている。また第２弾性部４２Ｂは、弾性体１１の第２弾性部位１３により構成されている。
【００４７】
第２ダンパー機構４２は、軽量床衝撃音に起因する天井ボード５の振動により第２弾性部４２Ｂを介して第２質量部４２Ａを上下に振動させる（第２共振周波数）。より具体的には、第２ダンパー機構４２は、第１ダンパー機構４１側を支点とする片持ち状態で上下に振動し、第１ダンパー機構４１側よりも外側の振幅が大きくなるように振動する。そして、第２質量部４２Ａの振動による反力を天井ボード５に伝えることにより、軽量床衝撃音を低減させるように作用する。この第２共振周波数は、第１共振周波数よりも高く、例えば１７６．８Ｈｚ〜３５３．６Ｈｚである。これは、第１弾性部４１Ｂと第２弾性部４２Ｂの弾性係数が同じであり、且つ第１質量部４１Ａが第２質量部４２Ａよりも単位面積当たりの重量が大きいためである。このように、共振周波数が互いに異なる２種類のダンパー機構（第１ダンパー機構４１及び第２ダンパー機構４２）を一つのダンパー内に併せ持つことで、重量床衝撃音及び軽量床衝撃音の両方を低減することができる。
【００４８】
また図３に示すように、左右２つの第２ダンパー機構４２の第２質量部４２Ａは、方向Ｄ２において両野縁２の内面２Ａよりも外側に延びている。このため、方向Ｄ２における一方側（左側）に位置する第２ダンパー機構４２の端部から他方側（右側）に位置する第２ダンパー機構４２の端部までの距離Ｗ１が、両野縁２の内面２Ａ間の距離Ｗ２よりも長くなっている。つまり、ダイナミックダンパー１の長手方向の幅は、両野縁２の間隔Ｗ２よりも大きくなっている。
【００４９】
また図３に示すように、方向Ｄ２において一方側（左側）に位置する第２ダンパー機構４２の端部が野縁２の内面２Ａから所定の長さだけ方向Ｄ２の外側に突出するように配置されたときに、他方側（右側）に位置する第２ダンパー機構４２は、野縁２の内面２Ａに対して隙間を空けないように（つまり野縁２の内面２Ａに接するように）方向Ｄ２の内側に配置される面を含む。この面は、弾性体１１の長手方向の右側面に相当する。これにより、図３の設置状態において仮に天井ボード５が破壊された場合でも、第２ダンパー機構４２の端部が野縁２の上面２Ｂに掛かるため、ダンパーの落下を防止することができる。
【００５０】
また弾性体１１の長手方向の右側面と野縁２の内面２Ａとの間に隙間が形成されてもよいが（つまり弾性体１１が両野縁２の間隔Ｗ２よりも短くてもよいが）、この隙間は、左側の第２ダンパー機構４２の端部が野縁２の内面２Ａよりも外側に突出する長さよりも小さくなるように設定される。これにより、ダンパーの位置が左右にずれて弾性体１１の右側面が野縁２の内面２Ａに衝突したときでも、左側の第２ダンパー機構４２の端部が野縁２の内面２Ａよりも外側に延びる状態を維持することができる。
【００５１】
また図３に示すように、第２ダンパー機構４２の端部（錘フランジ２４）の下面と載置面１１Ａとの間の高さ寸法Ｈ１は、野縁２の高さ寸法Ｈ２よりも大きくなっている。このため、図５に示すように錘板２１の両端を野縁２の上面２Ｂに掛けた状態において、弾性体１１の下面である載置面１１Ａを野縁２の下面よりも下方に位置させることができる。これにより、天井ボード５の上面５Ａを載置面１１Ａに対して容易に接触させることができる。
【００５２】
そして、図３に示すように、ダイナミックダンパー１を上面５Ａに載せたまま天井ボード５を上方に持ち上げて野縁２の下面に固定することで、錘板２１の両端を野縁２の上面２Ｂから離れさせることができる。この離間距離は、Ｈ１−Ｈ２に相当する。このように錘板２１の両端を野縁２から離れさせることで、天井ボード５の振動に対応してダイナミックダンパー１を共振させることができる。
【００５３】
［ダイナミックダンパーの設置］
次に、ダイナミックダンパー１を天井１０に設置する手順について、図３及び図５を参照して説明する。まず、ダイナミックダンパー１を両野縁２の間を通すように持ち上げ、図５に示すように錘板２１の両端を野縁２の上面２Ｂに掛けるようにして仮設置する。
【００５４】
この時、弾性体１１の長さが両野縁２の間隔Ｗ２と同じであるため、図５に示すようにダイナミックダンパー１は両野縁２により長手方向に挟まれた状態となる。また上述のように、錘板２１の端部の下面と載置面１１Ａとの間の高さ寸法Ｈ１が野縁２の高さ寸法Ｈ２よりも大きいため、載置面１１Ａは野縁２の下面よりも下方に位置した状態となる。
【００５５】
次に、天井ボード５の上面５Ａを載置面１１Ａに接触させ、ダイナミックダンパー１を載せたまま天井ボード５を上方へ持ち上げる。そして、図３に示すように天井ボード５の上面５Ａを両野縁２の下面に固定することにより、ダイナミックダンパー１の設置が完了する。
【００５６】
この時、ダイナミックダンパー１は、天井ボード５に対して固定されずに上面５Ａに載った状態で支持される。またダイナミックダンパー１は、天井ボード５の持ち上げによって錘板２１の端部の下面が野縁２の上面２Ｂから離れた状態になる。これにより、天井ボード５の振動に応じて質量体２１，３１を振動させることが可能となり、第１及び第２ダンパー機構４１，４２を各々作用させることができる。
【００５７】
また図３に示すように、ダンパーの設置完了状態においても、錘板２１の両端部は両野縁２の内面２Ａよりも外側に延在し、野縁２の上面２Ｂに対して上下に対向した状態になる。このため、図３に示す設置状態において仮に天井ボード５が割れた時でも、錘板２１の両端部が両野縁２の上面２Ｂに掛かるため、ダンパーの落下を防止することができる。
【００５８】
［作用効果］
次に、上記ダイナミックダンパー１の特徴的な構成及びその作用効果について説明する。
【００５９】
上記ダイナミックダンパー１は、互いに間隔Ｗ２を空けて配列された２本の野縁２と、両野縁２の下面に固定される天井ボード５と、を備えた天井１０に設置されるものである。上記ダイナミックダンパー１は、質量部４１Ａ，４２Ａ及びこれに接続された弾性部４１Ｂ，４２Ｂをそれぞれ有し、野縁２の配列方向Ｄ２において互いに繋がる複数のダンパー機構４０であって、互いに繋がった状態で天井ボード５に載置される載置面１１Ａを有する複数のダンパー機構４０を備えている。複数のダンパー機構４０は、共振周波数が互いに異なる第１及び第２ダンパー機構４１，４２を含んでいる。上記ダイナミックダンパー１は、配列方向Ｄ２の一方側に位置する第２ダンパー機構４２の端部から配列方向Ｄ２の他方側に位置する第２ダンパー機構４２の端部までの距離Ｗ１が両野縁２の内面２Ａ間の距離Ｗ２よりも長くなるように構成されている。上記ダイナミックダンパー１は、第２ダンパー機構４２の端部の下面と載置面１１Ａとの間の高さ寸法Ｈ１が野縁２の高さ寸法Ｈ２よりも大きくなるように構成されている。
【００６０】
上記ダイナミックダンパー１は、共振周波数が互いに異なる第１及び第２ダンパー機構４１，４２を備えている。このため、従来のように特定の共振周波数にのみ調整されたダンパーとは異なり、複数の周波数の振動が天井で生じた場合でも、各ダンパー機構の共振周波数をこれに合わせて調整することにより、各振動を低減することができる。
【００６１】
また上記ダイナミックダンパー１では、配列方向Ｄ２における一方側の第２ダンパー機構４２の端部から他方側の第２ダンパー機構４２の端部までの距離Ｗ１が両野縁２の内面２Ａ間の距離Ｗ２よりも長くなっている。このため、両側の第２ダンパー機構４２の端部を野縁２の上面２Ｂに掛けることにより、ダンパーを仮設置することができる。しかも、第２ダンパー機構４２の端部の下面と載置面１１Ａとの間の高さ寸法Ｈ１が野縁２の高さ寸法Ｈ２よりも大きいため、ダンパーが仮設置された状態において、図５に示すように載置面１１Ａを野縁２の下面よりも下側に位置させることができる。このため、天井ボード５をダンパーの載置面１１Ａに接触させ、ダンパーを載せたまま天井ボード５を持ち上げて野縁２の下面に固定することにより、ダンパーを簡単に設置することができる。
【００６２】
上記ダイナミックダンパー１は、載置面１１Ａを含む弾性体１１と、弾性体１１上に固定された質量体２１，３１と、が互いに接続された構造を有している。質量体２１，３１は、第１質量部位４１Ａと、第１質量部位４１Ａと配列方向Ｄ２に並ぶと共に第１質量部位４１Ａと異なる質量を有する第２質量部位４２Ａと、を有している。弾性体１１は、第１質量部位４１Ａを支持する第１弾性部位１２と、第２質量部位４２Ａを支持する第２弾性部位１３と、を有している。第１ダンパー機構４１は、第１質量部位により構成された第１質量部４１Ａと、第１弾性部位１２により構成された第１弾性部４１Ｂと、を有する。第２ダンパー機構４２は、第２質量部位により構成された第２質量部４２Ａと、第２弾性部位１３により構成された第２弾性部４２Ｂと、を有する。これにより、第１及び第２質量部４１Ａ，４２Ａの重量を変えることによって、共振周波数が互いに異なる第１及び第２ダンパー機構４１，４２を容易に構成することができる。
【００６３】
上記ダイナミックダンパー１において、質量体２１，３１は、弾性体１１上に固定された錘板２１と、錘板２１上に固定され、錘板２１よりも重量が大きい錘体３１と、を有している。第１質量部位４１Ａは、錘板２１（錘中央部２２）と錘体３１とにより構成されている。第２質量部位４２Ａは、錘板２１（錘側部２５、錘壁２３、錘フランジ２４）により構成されている。このように、錘板２１の上に錘体３１が固定された構成にすることで、弾性体１１が破壊された時でも錘板２１によって錘体３１を支持することが可能となり、錘体３１が落下するのを防ぐことができる。
【００６４】
上記ダイナミックダンパー１において、錘板２１は、折れ曲がった部分を有している。これにより、錘板２１の剛性をより高めることが可能となり、錘板２１によって錘体３１をより確実に支持することができる。
【００６５】
上記ダイナミックダンパー１において、第２ダンパー機構４２は、第１ダンパー機構４１を挟んで配列方向Ｄ２の一方側及び他方側にそれぞれ配置されていている。第２ダンパー機構４２は、両野縁２の内面２Ａよりも配列方向Ｄ２の外側に延びる第２質量部４２Ａを有している。これにより、第１ダンパー機構４１側を支点として第２ダンパー機構４２を片持ち状態で共振させることができる。これにより、天井ボード５で生じる振動エネルギーを効率的に吸収することができる。
【００６６】
上記ダイナミックダンパー１において、方向Ｄ２における一方側に位置する第２ダンパー機構４２の端部が一方の野縁２の内面２Ａから所定の長さだけ配列方向Ｄ２の外側に突出するように配置されたときに、他方側に位置する第２ダンパー機構４２は、他方の野縁２の内面２Ａに対して当該突出長さよりも小さい隙間を空けるように又は当該隙間を空けないように配列方向Ｄ２の内側に配置される面を含んでいる。これにより、ダンパーの位置が他方の野縁２側へずれた時でも、他方側の第２ダンパー機構４２の面（弾性体１１の長手方向の側面）が野縁２の内面２Ａと衝突する。このため、一方側の第２ダンパー機構４２の端部が野縁２の内面２Ａに対して外側に突出した状態が維持されるため、ダンパーの落下を防止することができる。また上記隙間を空けない場合には、ダンパーの位置ずれ自体を防止することができる。
【００６７】
（その他実施形態）
最後に、本発明のその他実施形態について説明する。
【００６８】
上記実施形態１では、第１ダンパー機構４１及び第２ダンパー機構４２において、弾性部４１Ｂ，４２Ｂの弾性係数を同じにして質量部４１Ａ，４２Ａの単位面積当たりの重量を変えることで共振周波数を変える場合について説明したが、これに限定されない。例えば、第１質量部４１Ａ及び第２質量部４２Ａの単位面積当たりの重量を同じとし、第１弾性部４１Ｂと第２弾性部４２Ｂの弾性係数を変えることにより、各ダンパー機構４１，４２の共振周波数を変えてもよい。
【００６９】
上記実施形態１では、図３に示すように錘板２１の上にブロック状の錘体３１を固定する場合について説明したが、これに限定されない。例えば、重量が異なる２種類の錘を弾性体１１の上面１１Ｂにおいて互いに間隔を空けて固定するという構成でもよい。
【００７０】
上記実施形態１では、図３に示すように第１ダンパー機構４１と第２ダンパー機構４２とが互いに連続するように構成される場合について説明したが、これに限定されない。図６に示すダイナミックダンパー１Ａのように、第１ダンパー機構４１及び第２ダンパー機構４２が一枚の支持板１００上において互いに離れて固定されてもよい。この場合、支持板１００の下面が天井ボード５の上面５Ａに載置される載置面として利用される。
【００７１】
上記実施形態１では、図３に示すように錘板２１の両端が野縁２の内角に引っ掛かるように折り曲げられる場合について説明したがこれに限定されず、錘板２１全体が平板形状に形成されていてもよい。また錘板２１の端部ではなく、錘主部２６を部分的に折り曲げた構造としてもよい。
【００７２】
上記実施形態１では、錘板２１全体が鋼板により構成される場合について説明したが、これに限定されない。例えば、野縁２に引っ掛ける部位である錘壁２３及び錘フランジ２４が別の材質からなる板材により構成されていてもよい。
【００７３】
上記実施形態１では、共振周波数が異なる２種類のダンパー機構４１，４２を設ける場合について説明したがこれに限定されず、共振周波数が異なる３種類以上のダンパー機構が設けられてもよい。
【００７４】
今回開示された実施形態は、全ての点で例示であって、制限的なものではないと解されるべきである。本発明の範囲は、上記した説明ではなくて特許請求の範囲により示され、特許請求の範囲と均等の意味及び範囲内での全ての変更が含まれることが意図される。
【符号の説明】
【００７５】
１，１Ａ  ダイナミックダンパー
２  野縁
２Ａ  内面
５  天井ボード
５Ａ  上面
１０  天井
１１  弾性体
１１Ａ  載置面
１２  第１弾性部位
１３  第２弾性部位
２１  錘板
３１  錘体
４０  ダンパー機構
４１  第１ダンパー機構
４１Ａ  第１質量部（第１質量部位）
４１Ｂ  第１弾性部
４２  第２ダンパー機構
４２Ａ  第２質量部（第２質量部位）
４２Ｂ  第２弾性部
Ｄ１，Ｄ２  方向
Ｈ１，Ｈ２  高さ寸法
Ｗ１  長さ
Ｗ２  間隔
【図１】
2018028177.tif 000003
【図２】
2018028177.tif 000004
【図３】
2018028177.tif 000005
【図４】
2018028177.tif 000006
【図５】
2018028177.tif 000007
【図６】
2018028177.tif 000008